(57)【要約】【課題】  違法行為に関与した被疑者を捕まえることを支援し、資力のない店舗であっても導入が容易な被疑者画像情報公開システムを提供する。【解決手段】  画像公開サーバ２００は、店舗端末１００から事件情報及び被疑者画像情報を受信し、受信した事件情報及び被疑者画像情報を事件ＩＤと対応づけて記憶装置６２に登録し、店舗端末１００からの公開要求に応じて、記憶装置６２におけるその店舗の事件ＩＤに対応する被疑者画像情報に基づいて生成された予備的画像情報、及び、記憶装置６２におけるその店舗の事件ＩＤに対応する事件情報を不特定多数の端末がアクセス可能に公開し、Ｗｅｂページの公開から公開猶予時間が経過するまでに被疑者から連絡がない場合は、被疑者画像情報を不特定多数の端末がアクセス可能に公開する。【選択図】  図６
2019028852.tif 000002
【特許請求の範囲】
【請求項１】
公衆ネットワークに接続し、違法行為に関与した被疑者を撮影した被疑者画像情報を公開するシステムであって、
少なくとも店舗ごとに識別情報を記憶する識別情報記憶手段と、
違法行為の内容に関する事件情報を取得する事件情報取得手段と、
違法行為に関与した被疑者を撮影した被疑者画像情報を取得する被疑者画像情報取得手段と、
前記店舗で行われた違法行為について前記事件情報取得手段及び前記被疑者画像情報取得手段で取得した事件情報及び被疑者画像情報を、当該店舗の識別情報と対応づけて事件情報記憶手段に登録する事件情報登録手段と、
前記被疑者画像情報に基づいて前記被疑者の特定が困難な態様の予備的画像情報を生成する予備的画像情報生成手段と、
前記店舗が利用する端末からの公開要求に応じて、前記事件情報記憶手段における当該店舗の識別情報に対応する被疑者画像情報に基づいて前記予備的画像情報生成手段で生成された予備的画像情報、及び、前記事件情報記憶手段における当該店舗の識別情報に対応する事件情報を不特定多数の端末がアクセス可能に公開する予備公開手段と、
前記被疑者からの連絡を受け付ける被疑者連絡受付手段と、
前記予備公開手段による公開から所定時間が経過するまでに前記被疑者連絡受付手段で連絡の受付がない場合は、前記事件情報記憶手段における当該公開に係る被疑者画像情報を不特定多数の端末がアクセス可能に公開する本公開手段とを備えることを特徴とする被疑者画像情報公開システム。
【請求項２】
請求項１において、
前記予備公開手段による公開から経過した時間に応じて、前記予備公開手段で公開した予備的画像情報を、前記被疑者の特定がより容易な態様の予備的画像情報に更新する予備的画像情報更新手段を備えることを特徴とする被疑者画像情報公開システム。
【請求項３】
請求項１及び２のいずれか１項において、
前記店舗で違法行為が行われた時点又はその前後の時間帯において当該店舗内で利用された端末の端末情報を取得する第１端末情報取得手段と、
前記店舗で行われた違法行為について前記第１端末情報取得手段で取得した端末情報を、当該店舗の識別情報と対応づけて端末情報記憶手段に登録する端末情報登録手段と、
前記予備公開手段で公開した予備的画像情報にアクセスした端末の端末情報を取得する第２端末情報取得手段と、
前記第２端末情報取得手段で取得した端末情報が、前記端末情報記憶手段における前記予備的画像情報に係る店舗の識別情報に対応する端末情報と一致した場合は、前記第２端末情報取得手段で取得した端末情報に係る端末に対し通知を行う通知手段とを備えることを特徴とする被疑者画像情報公開システム。
【発明の詳細な説明】
【技術分野】
【０００１】
本発明は、違法行為に関与した被疑者を撮影した被疑者画像情報を公開するシステムに係り、特に、違法行為に関与した被疑者を捕まえることを支援し、資力のない店舗であっても導入が容易な被疑者画像情報公開システムに関する。
【背景技術】
【０００２】
従来、犯罪等の違法行為に関与した被疑者を撮影した被疑者画像情報を公開する技術としては、例えば、特許文献１、２記載の技術が知られている。
【０００３】
特許文献１記載の技術は、自動販売機周辺の状況を撮影する撮像手段と、自動販売機に対して外部からの異常行為があったことを検出する異常検出手段と、異常検出手段により異常発生が検出されたとき、撮像手段で撮影する画像情報をホームページとして公開するＷｅｂサーバ手段とを備える（同文献〔０００９〕）。
【０００４】
特許文献２記載の技術は、防犯用カメラ装置と、防犯監視対象物の管理者端末装置と、防犯用カメラ装置の撮像データから常習犯を分析してＷｅｂ上に公開するサーバ装置とを備え、サーバ装置は、防犯用カメラ装置で撮像した撮像データを受け取って、撮像データに含まれる人物像が人相ＤＢに記録された人物と一致する場合に、Ｗｅｂ上のホームページで一致した人物の画像情報を公開する（同文献〔００１９〕）。
【先行技術文献】
【特許文献】
【０００５】
【特許文献１】特開２０００−１４９１１４号公報
【特許文献２】特開２００４−１６４１０３号公報
【発明の概要】
【発明が解決しようとする課題】
【０００６】
しかしながら、特許文献１、２記載の技術にあってはいずれも、被疑者画像情報が公開される装置であることを知らしめることにより違法行為に及ぶことを躊躇わせて違法行為を抑止するものであるが、ひとたび違法行為が行われてしまった場合は、被疑者を捕まえることが困難であるという問題があった。また、大がかりな装置を取り付けなければならず、資力のない店舗が万引き防止対策等に用いるには、コスト面で導入が困難であるという問題もあった。
【０００７】
そこで、本発明は、このような従来の技術の有する未解決の課題に着目してなされたものであって、違法行為に関与した被疑者を捕まえることを支援し、資力のない店舗であっても導入が容易な被疑者画像情報公開システムを提供することを目的としている。
【課題を解決するための手段】
【０００８】
〔発明１〕  上記目的を達成するために、発明１の被疑者画像情報公開システムは、公衆ネットワークに接続し、違法行為に関与した被疑者を撮影した被疑者画像情報を公開するシステムであって、少なくとも店舗ごとに識別情報を記憶する識別情報記憶手段と、違法行為の内容に関する事件情報を取得する事件情報取得手段と、違法行為に関与した被疑者を撮影した被疑者画像情報を取得する被疑者画像情報取得手段と、前記店舗で行われた違法行為について前記事件情報取得手段及び前記被疑者画像情報取得手段で取得した事件情報及び被疑者画像情報を、当該店舗の識別情報と対応づけて事件情報記憶手段に登録する事件情報登録手段と、前記被疑者画像情報に基づいて前記被疑者の特定が困難な態様の予備的画像情報を生成する予備的画像情報生成手段と、前記店舗が利用する端末からの公開要求に応じて、前記事件情報記憶手段における当該店舗の識別情報に対応する被疑者画像情報に基づいて前記予備的画像情報生成手段で生成された予備的画像情報、及び、前記事件情報記憶手段における当該店舗の識別情報に対応する事件情報を不特定多数の端末がアクセス可能に公開する予備公開手段と、前記被疑者からの連絡を受け付ける被疑者連絡受付手段と、前記予備公開手段による公開から所定時間が経過するまでに前記被疑者連絡受付手段で連絡の受付がない場合は、前記事件情報記憶手段における当該公開に係る被疑者画像情報を不特定多数の端末がアクセス可能に公開する本公開手段とを備える。
【０００９】
ここで、識別情報は、少なくとも店舗ごとに割り当てられていればよく、より細分化した単位で割り当てられるものであってもよい。例えば、店舗が複数の事件について被疑者画像情報を公開する場合は、事件ごとに識別情報を割り当てることが考えられる。
【００１０】
また、事件情報取得手段は、例えば、入力装置等から事件情報を入力してもよいし、外部の端末等から事件情報を獲得又は受信してもよいし、記憶装置や記憶媒体等から事件情報を読み出してもよいし、情報処理等により事件情報を生成し又は算出してもよい。したがって、取得には、少なくとも入力、獲得、受信、読出（検索を含む。）、生成及び算出が含まれる。以下、取得の概念については同じである。
【００１１】
また、識別情報記憶手段は、識別情報をあらゆる手段で且つあらゆる時期に記憶するものであり、識別情報を予め記憶してあるものであってもよいし、識別情報を予め記憶することなく、本システムの動作時に外部からの入力等によって識別情報を記憶するようになっていてもよい。
【００１２】
〔発明２〕  さらに、発明２の被疑者画像情報公開システムは、発明１の被疑者画像情報公開システムにおいて、前記予備公開手段による公開から経過した時間に応じて、前記予備公開手段で公開した予備的画像情報を、前記被疑者の特定がより容易な態様の予備的画像情報に更新する予備的画像情報更新手段を備える。
【００１３】
〔発明３〕  さらに、発明３の被疑者画像情報公開システムは、発明１及び２のいずれか１の被疑者画像情報公開システムにおいて、前記店舗で違法行為が行われた時点又はその前後の時間帯において当該店舗内で利用された端末の端末情報を取得する第１端末情報取得手段と、前記店舗で行われた違法行為について前記第１端末情報取得手段で取得した端末情報を、当該店舗の識別情報と対応づけて端末情報記憶手段に登録する端末情報登録手段と、前記予備公開手段で公開した予備的画像情報にアクセスした端末の端末情報を取得する第２端末情報取得手段と、前記第２端末情報取得手段で取得した端末情報が、前記端末情報記憶手段における前記予備的画像情報に係る店舗の識別情報に対応する端末情報と一致した場合は、前記第２端末情報取得手段で取得した端末情報に係る端末に対し通知を行う通知手段とを備える。
【発明の効果】
【００１４】
以上説明したように、発明１の被疑者画像情報公開システムによれば、予備的画像情報を公開し被疑者からの連絡を促すことにより、本公開手段による公開までに被疑者が連絡してくることが期待できるので、従来に比して、被疑者を捕まえる機会を得ることができる。また、店舗登録を行い、事件情報及び被疑者画像情報を提供するだけで利用することができるので、資力のない店舗であっても比較的容易に導入することができる。
【００１５】
さらに、発明２の被疑者画像情報公開システムによれば、時間の経過に伴って被疑者の特定がより容易な態様に予備的画像情報が更新されるので、被疑者からの連絡をさらに促すことができる。
【００１６】
さらに、発明３の被疑者画像情報公開システムによれば、店舗で違法行為が行われた時点又はその前後の時間帯においてその店舗内で利用された端末の端末情報と、その違法行為に係る予備的画像情報にアクセスした端末の端末情報が一致した場合は、その端末に対し通知が行われるので、被疑者からの連絡をさらに促すことができる。
【図面の簡単な説明】
【００１７】
【図１】本実施の形態に係るネットワークシステムの構成を示すブロック図である。
【図２】店舗端末１００のハードウェア構成を示す図である。
【図３】画像公開サーバ２００のハードウェア構成を示す図である。
【図４】ログイン情報テーブル４００のデータ構造を示す図である。
【図５】事件情報テーブル４２０のデータ構造を示す図である。
【図６】被疑者画像公開処理を示すフローチャートである。
【図７】被疑者画像公開処理を示すフローチャートである。
【図８】事件情報及び予備的画像情報を掲載したｗｅｂページである。
【発明を実施するための形態】
【００１８】
以下、本発明の実施の形態を説明する。図１乃至図８は、本実施の形態を示す図である。
【００１９】
まず、本実施の形態の構成を説明する。
図１は、本実施の形態に係るネットワークシステムの構成を示すブロック図である。
【００２０】
インターネット１９９には、図１に示すように、小売等の店舗ごとにその店舗が利用する複数の店舗端末１００と、店舗で行われた万引き等の違法行為に関与した被疑者を撮影した被疑者画像情報を公開する画像公開サーバ２００とが接続されている。
【００２１】
次に、店舗端末１００の構成を説明する。
図２は、店舗端末１００のハードウェア構成を示す図である。
【００２２】
店舗端末１００は、図２に示すように、制御プログラムに基づいて演算及びシステム全体を制御するＣＰＵ（Central Processing Unit）３０と、所定領域に予めＣＰＵ３０の制御プログラム等を格納しているＲＯＭ（Read Only Memory）３２と、ＲＯＭ３２等から読み出したデータやＣＰＵ３０の演算過程で必要な演算結果を格納するためのＲＡＭ（Random Access Memory）３４と、外部装置に対してデータの入出力を媒介するＩ／Ｆ（InterFace）３８とで構成されており、これらは、データを転送するための信号線であるバス３９で相互に且つデータ授受可能に接続されている。
【００２３】
Ｉ／Ｆ３８には、外部装置として、ヒューマンインターフェースとしてデータの入力が可能なキーボードやマウス等からなる入力装置４０と、データやテーブル等をファイルとして格納する記憶装置４２と、画像信号に基づいて画面を表示する表示装置４４と、店舗内に設置された防犯用のカメラ４６と、店舗の顧客が利用可能なフリーＷｉ-Ｆｉ（登録商標）スポットを構成する無線通信装置４８とが接続されている。
【００２４】
カメラ４６は、店舗内の顧客を撮影し、撮影した画像情報を店舗端末１００に出力する。店舗端末１００は、カメラ４６から入力した画像情報を記憶装置４２に記憶する。ここで、カメラ４６で撮影される画像は、静止画像であってもよいし動画像であってもよい。
【００２５】
無線通信装置４８は、顧客の携帯端末と無線により通信可能に接続すると、顧客の携帯端末とインターネット１９９との間で通信を中継する。また、通信の中継時に、顧客の携帯端末の端末情報（例えば、ＭＡＣ（edia Access Control address）アドレス）を顧客の携帯端末から取得し、取得した端末情報をアクセスログファイルとして内部メモリに記憶する。そして、店舗端末１００からの要求に応じて、アクセスログファイルを内部メモリから読み出し、読み出したアクセスログファイルを店舗端末１００に出力する。店舗端末１００は、無線通信装置４８から入力したアクセスログファイルを記憶装置４２に記憶する。
【００２６】
次に、画像公開サーバ２００の構成を説明する。
図３は、画像公開サーバ２００のハードウェア構成を示す図である。
【００２７】
画像公開サーバ２００は、図３に示すように、制御プログラムに基づいて演算及びシステム全体を制御するＣＰＵ５０と、所定領域に予めＣＰＵ５０の制御プログラム等を格納しているＲＯＭ５２と、ＲＯＭ５２等から読み出したデータやＣＰＵ５０の演算過程で必要な演算結果を格納するためのＲＡＭ５４と、外部装置に対してデータの入出力を媒介するＩ／Ｆ５８とで構成されており、これらは、データを転送するための信号線であるバス５９で相互に且つデータ授受可能に接続されている。
【００２８】
Ｉ／Ｆ５８には、外部装置として、ヒューマンインターフェースとしてデータの入力が可能なキーボードやマウス等からなる入力装置６０と、データやテーブル等をファイルとして格納する記憶装置６２と、画像信号に基づいて画面を表示する表示装置６４とが接続されている。
【００２９】
次に、記憶装置６２のデータ構造を説明する。
図４は、ログイン情報テーブル４００のデータ構造を示す図である。
【００３０】
記憶装置６２は、図４に示すように、ログイン情報テーブル４００を記憶している。
ログイン情報テーブル４００には、店舗ごとに１つのレコードが登録されている。各レコードは、ログインＩＤを登録するフィールド４０２と、パスワードを登録するフィールド４０４と、店舗を識別するための店舗ＩＤを登録するフィールド４０６と、店舗の名称を登録するフィールド４０８と、店舗の住所を登録するフィールド４１０と、店舗の連絡先を登録するフィールド４１２とを含んで構成されている。ここで、フィールド４０８〜４１２が店舗情報を構成する。
【００３１】
図５は、事件情報テーブル４２０のデータ構造を示す図である。
記憶装置６２は、図５に示すように、事件情報テーブル４２０を記憶している。
【００３２】
事件情報テーブル４２０には、事件ごとに１つのレコードが登録されている。各レコードは、事件を識別するための事件ＩＤを登録するフィールド４２２と、店舗ＩＤを登録するフィールド４２４と、事件情報の公開日時を登録するフィールド４２６と、事件情報を登録するフィールド４２８と、被疑者画像ファイル名を登録するフィールド４３０と、アクセスログファイル名を登録するフィールド４３２とを含んで構成されている。
【００３３】
次に、本実施の形態の動作を説明する。
図６及び図７は、被疑者画像公開処理を示すフローチャートである。
【００３４】
画像公開サーバ２００において、ＣＰＵ５０は、ＭＰＵ（Micro-Processing Unit）等からなり、ＲＯＭ５２の所定領域に格納されている所定のプログラムを起動させ、そのプログラムに従って、図６のフローチャートに示す被疑者画像公開処理を実行する。
【００３５】
店舗端末１００では、画像公開サーバ２００を利用する場合、管理者が、ログインＩＤ及びパスワードを含むログイン情報を入力し、入力したログイン情報を画像公開サーバ２００に送信する。画像公開サーバ２００では、図６に示すように、ステップＳ１００に移行して、店舗端末１００からログイン情報を受信し、受信したログイン情報をログイン情報テーブル４００のログイン情報と照合し、ログイン情報が一致するか否かを判定する。ログイン情報が一致すると判定した場合は、ステップＳ１０２に移行する。これに対し、ログイン情報が一致しないと判定した場合は、処理を終了する。
【００３６】
次いで、店舗端末１００では、管理者が、店舗で行われた違法行為の内容として、例えば、事件が発生した日時、場所、被害に遭った商品、被疑者の特徴を記述したテキスト情報を事件情報として入力し、入力した事件情報を画像公開サーバ２００に送信する。画像公開サーバ２００では、ステップＳ１０２を経て、店舗端末１００から事件情報を受信し、受信した事件情報を事件ＩＤ及び店舗ＩＤと対応づけて事件情報テーブル４２０に登録する。ここで、事件ＩＤは事件ごとに発行されるＩＤであり、店舗ＩＤは、ステップＳ１００で認証された店舗の店舗ＩＤである。
【００３７】
次いで、店舗端末１００では、管理者が、店被疑者を撮影した被疑者画像情報を記憶装置４２の画像情報から抽出し、抽出した被疑者画像情報を記録した被疑者画像ファイルを画像公開サーバ２００に送信する。画像公開サーバ２００では、ステップＳ１０４を経て、店舗端末１００から被疑者画像ファイルを受信し、受信した被疑者画像ファイルを記憶装置６２に記憶するとともにそのファイル名を事件ＩＤ及び店舗ＩＤと対応づけて事件情報テーブル４２０に登録する。ここで、事件ＩＤ及び店舗ＩＤは、ステップＳ１０２の事件ＩＤ及び店舗ＩＤと同一である。
【００３８】
次いで、店舗端末１００では、管理者が、店舗で違法行為が行われた時点及びその前後の時間帯において無線通信装置４８で取得された端末情報を記憶装置４２のアクセスログファイルから抽出し、抽出した端末情報を記録したアクセスログファイルを画像公開サーバ２００に送信する。画像公開サーバ２００では、ステップＳ１０６を経て、店舗端末１００からアクセスログファイルを受信し、受信したアクセスログファイルを記憶装置６２に記憶するとともにそのファイル名を事件ＩＤ及び店舗ＩＤと対応づけて事件情報テーブル４２０に登録する。ここで、事件ＩＤ及び店舗ＩＤは、ステップＳ１０２の事件ＩＤ及び店舗ＩＤと同一である。
【００３９】
画像公開サーバ２００では、ステップＳ１０８を経て、記憶装置６２の被疑者画像ファイル、及び被疑者の特定が困難な解像度が初期値として設定されたパラメータ（以下「解像度パラメータ」という。）の値に基づいて、被疑者画像情報の解像度を下げた予備的画像情報を生成する。そして、ステップＳ１１０を経て、事件情報テーブル４２０の事件情報及び生成した予備的画像情報に基づいて、これらを公開するＷｅｂページのプレビュー画面を生成し、生成したプレビュー画面を店舗端末１００に送信する。店舗端末１００では、画像公開サーバ２００からプレビュー画面を受信し、受信したプレビュー画面を表示装置４４に表示する。そして、管理者が、公開内容に間違いがないことを確認した場合は、画像公開サーバ２００に公開要求を送信する。画像公開サーバ２００では、ステップＳ１１２を経て、店舗端末１００から公開要求を受信したか否かを判定し、公開要求を受信したと判定した場合(YES)は、ステップＳ１１４に移行する。これに対し、公開要求を受信しないと判定した場合(NO)は、公開要求を受信するまでステップＳ１１２で待機する。
【００４０】
図８は、事件情報及び予備的画像情報を掲載したｗｅｂページである。
ステップＳ１１４では、図８に示すように、事件情報及び予備的画像情報を掲載したＷｅｂページを不特定多数の端末がアクセス可能に公開する。図８の例では、事件情報、被疑者画像（予備的画像情報）及び店舗情報のほか、被疑者に対する警告メッセージが掲載されている。また、「被害店舗に連絡」のボタンが設置されている。このボタンをクリックすると、被害店舗に連絡するための連絡用フォームが表示される。連絡用フォームに必要な事項を入力すると、入力事項が被害店舗に送信される。
【００４１】
次いで、ステップＳ１１６に移行して、ステップＳ１１４で公開したＷｅｂページにアクセスがあったか否かを判定し、アクセスがあったと判定した場合(YES)は、ステップＳ１１８に移行して、アクセスのあった端末から端末情報を取得する。端末情報の取得は、例えば、Ｗｅｂページの閲覧に伴って端末でＪａｖａ（登録商標）等を実行させ、画像公開サーバ２００に端末情報を送信することにより行うことができる。
【００４２】
次いで、ステップＳ１２０に移行して、ステップＳ１１８で取得した端末情報が、記憶装置６２のアクセスログファイルのうち、アクセスのあったＷｅｂページに係る事件ＩＤに対応するアクセスログファイルに記録されている端末情報と一致するか否かを判定し、端末情報が一致すると判定した場合(YES)は、ステップＳ１２２に移行し、ステップＳ１１８で取得した端末情報に基づいて、アクセスのあった端末に対し警告メッセージ（例えば「被害店舗に連絡してください。」）を送信（プッシュ通知）し、ステップＳ１２４に移行する。
【００４３】
ステップＳ１２４では、Ｗｅｂページの公開又は前回の更新から所定の更新時間（例えば、１日）が経過したか否かを判定し、更新時間が経過したと判定した場合(YES)は、ステップＳ１２６に移行して、解像度パラメータの値を増加し、ステップＳ１２８に移行する。
【００４４】
ステップＳ１２８では、記憶装置６２の被疑者画像ファイル及び解像度パラメータの値に基づいて、被疑者画像情報の解像度を下げた予備的画像情報を生成し、ステップＳ１３０に移行して、生成した予備的画像情報に基づいて、Ｗｅｂページに掲載された予備的画像情報を更新する。この予備的画像情報は、解像度パラメータの値が増加されたことにより、ステップＳ１０８で生成された予備的画像情報よりも解像度が高くなる。すなわち、被疑者の画像が鮮明となり、被疑者の特定がより容易になる。
【００４５】
次いで、ステップＳ１３２に移行して、Ｗｅｂページのボタン「被害店舗に連絡」から誘導される連絡用フォームから連絡要求を受信したか否かを判定し、連絡要求を受信したと判定した場合(YES)は、ステップＳ１３４に移行して、連絡用フォームから送信された連絡情報を、そのＷｅｂページに係る店舗ＩＤに対応する店舗端末１００に送信し、ステップＳ１３６に移行する。
【００４６】
店舗端末１００では、管理者が、連絡情報の内容を確認しＷｅｂページを非公開にしてもよいと判断した場合は、画像公開サーバ２００に非公開要求を送信する。画像公開サーバ２００では、ステップＳ１３６を経て、店舗端末１００から非公開要求を受信したか否かを判定し、非公開要求を受信したと判定した場合(YES)は、ステップＳ１３８に移行して、公開中のＷｅｂページを非公開にし、処理を終了する。
【００４７】
一方、ステップＳ１３６で非公開要求を受信しないと判定した場合(NO)、及び、ステップＳ１３２で連絡要求を受信しないと判定した場合(NO)はいずれも、ステップＳ１４０に移行して、Ｗｅｂページの公開から所定の公開猶予時間（例えば、３０日）が経過したか否かを判定し、公開猶予時間が経過したと判定した場合(YES)は、ステップＳ１４２に移行する。
【００４８】
ステップＳ１４２では、記憶装置６２の被疑者画像ファイルに基づいて、Ｗｅｂページに掲載された予備的画像情報を被疑者画像情報に変更することにより被疑者画像情報を不特定多数の端末がアクセス可能に公開し、処理を終了する。
【００４９】
一方、ステップＳ１４０で公開猶予時間が経過していないと判定した場合(NO)は、ステップＳ１１６に移行する。
【００５０】
一方、ステップＳ１２４で更新時間が経過していないと判定した場合(NO)は、ステップＳ１３２に移行する。
【００５１】
一方、ステップＳ１２０で端末情報が一致しないと判定した場合(NO)、及び、ステップＳ１１６でＷｅｂページにアクセスがないと判定した場合(NO)はいずれも、ステップＳ１２４に移行する。
【００５２】
次に、本実施の形態の効果を説明する。
本実施の形態では、画像公開サーバ２００は、店舗端末１００から事件情報及び被疑者画像情報を受信し、受信した事件情報及び被疑者画像情報を事件ＩＤと対応づけて記憶装置６２に登録し、店舗端末１００からの公開要求に応じて、記憶装置６２におけるその店舗の事件ＩＤに対応する被疑者画像情報に基づいて生成された予備的画像情報、及び、記憶装置６２におけるその店舗の事件ＩＤに対応する事件情報を不特定多数の端末がアクセス可能に公開し、Ｗｅｂページの公開から公開猶予時間が経過するまでに被疑者から連絡がない場合は、被疑者画像情報を不特定多数の端末がアクセス可能に公開する。
【００５３】
これにより、予備的画像情報を公開し被疑者からの連絡を促すことにより、被疑者画像情報の公開までに被疑者が連絡してくることが期待できるので、従来に比して、被疑者を捕まえる機会を得ることができる。また、店舗登録を行い、事件情報及び被疑者画像情報を提供するだけで利用することができるので、資力のない店舗であっても比較的容易に導入することができる。
【００５４】
さらに、本実施の形態では、画像公開サーバ２００は、Ｗｅｂページの公開から経過した時間に応じて、Ｗｅｂページに掲載された予備的画像情報を、被疑者の特定がより容易な態様の予備的画像情報に更新する。
【００５５】
これにより、時間の経過に伴って被疑者の特定がより容易な態様に予備的画像情報が更新されるので、被疑者からの連絡をさらに促すことができる。
【００５６】
さらに、本実施の形態では、画像公開サーバ２００は、店舗で違法行為が行われた時点及びその前後の時間帯においてその店舗内で利用された端末の端末情報を受信し、受信した端末情報を事件ＩＤと対応づけて記憶装置６２に登録し、Ｗｅｂページにアクセスした端末の端末情報を取得し、取得した端末情報が、記憶装置６２におけるＷｅｂページに係る事件ＩＤに対応する端末情報と一致した場合は、Ｗｅｂページにアクセスのあった端末に対し警告メッセージを送信する。
【００５７】
これにより、店舗で違法行為が行われた時点及びその前後の時間帯においてその店舗内で利用された端末の端末情報と、Ｗｅｂページにアクセスした端末の端末情報が一致した場合は、その端末に対し警告メッセージが送信されるので、被疑者からの連絡をさらに促すことができる。
【００５８】
本実施の形態において、記憶装置６２は、発明１の識別情報記憶手段、発明１の事件情報記憶手段、又は発明３の端末情報記憶手段に対応し、インターネット１９９は、発明１の公衆ネットワークに対応し、ステップＳ１０２は、発明１の事件情報取得手段に対応している。また、ステップＳ１０４は、発明１の被疑者画像情報取得手段に対応し、ステップＳ１０２、Ｓ１０４は、発明１の事件情報登録手段に対応し、ステップＳ１０６は、発明３の第１端末情報取得手段、又は発明３の端末情報登録手段に対応している。
【００５９】
また、本実施の形態において、ステップＳ１０８は、発明１の予備的画像情報生成手段に対応し、ステップＳ１１２、Ｓ１１４は、発明１乃至３の予備公開手段に対応し、ステップＳ１３２は、発明１の被疑者連絡受付手段に対応し、ステップＳ１４２は、発明１の本公開手段に対応している。また、ステップＳ１２４〜Ｓ１３０は、発明２の予備的画像情報更新手段に対応し、ステップＳ１１８は、発明３の第２端末情報取得手段に対応し、ステップＳ１２０、Ｓ１２２は、発明３の通知手段に対応し、事件ＩＤは、発明１又は３の識別情報に対応している。
【００６０】
〔変形例〕
なお、上記実施の形態においては、店舗で違法行為が行われた時点及びその前後の時間帯において無線通信装置４８で取得された端末情報を記憶装置６２に登録したが、これに限らず、店舗で違法行為が行われた時点において無線通信装置４８で取得された端末情報、店舗で違法行為が行われた時点よりも前の時間帯において無線通信装置４８で取得された端末情報、又は店舗で違法行為が行われた時点よりも後の時間帯において無線通信装置４８で取得された端末情報を記憶装置６２に登録してもよい。
【００６１】
また、上記実施の形態及びその変形例においては、予備的画像情報の生成を公開要求の受信前に行ったが、これに限らず、公開要求の受信後に行ってもよい。
【００６２】
また、上記実施の形態及びその変形例においては、ステップＳ１１６〜Ｓ１２２の処理を設けたが、これに限らず、これらの処理を設けなくてもよい。
【００６３】
また、上記実施の形態及びその変形例においては、ステップＳ１２４〜Ｓ１３０の処理を設けたが、これに限らず、これらの処理を設けなくてもよい。
【００６４】
また、上記実施の形態及びその変形例においては、ステップＳ１２４の更新時間及びステップＳ１４０の公開猶予時間を一律に設定したが、これに限らず、店舗ごと又は事件ごとに設定するように構成することもできる。
【００６５】
また、上記実施の形態及びその変形例においては、インターネット１９９からなるネットワークシステムに適用した場合について説明したが、これに限らず、例えば、インターネット１９９と同一方式により通信を行ういわゆるイントラネットに適用してもよい。もちろん、インターネット１９９と同一方式により通信を行うネットワークに限らず、任意の通信方式のネットワークに適用することができる。
【００６６】
また、上記実施の形態及びその変形例において、図６及び図７のフローチャートに示す処理を実行するにあたってはいずれも、ＲＯＭ５２に予め格納されているプログラムを実行する場合について説明したが、これに限らず、これらの手順を示したプログラムが記憶された記憶媒体から、そのプログラムをＲＡＭ５４に読み込んで実行するようにしてもよい。店舗端末１００で実行される処理についても同様である。
【００６７】
また、上記実施の形態及びその変形例においては、店舗で行われた万引き等の違法行為に関与した被疑者を撮影した被疑者画像情報を公開する場合について本発明を適用したが、これに限らず、本発明の主旨を逸脱しない範囲で他の場合にも適用可能である。
【符号の説明】
【００６８】
１００…店舗端末、  ２００…画像公開サーバ、  １９９…インターネット、  ３０、５０…ＣＰＵ、  ３２、５２…ＲＯＭ、  ３４、５４…ＲＡＭ、  ３８、５８…Ｉ／Ｉ、  ３９、５９…バス、  ４０、６０…入力装置、  ４２、６２…記憶装置、  ４４、６４…表示装置、  ４６…カメラ、  ４８…無線通信装置、  ４００…ログイン情報テーブル、  ４２０…事件情報テーブル
【図１】
2019028852.tif 000003
【図２】
2019028852.tif 000004
【図３】
2019028852.tif 000005
【図４】
2019028852.tif 000006
【図５】
2019028852.tif 000007
【図６】
2019028852.tif 000008
【図７】
2019028852.tif 000009
【図８】
2019028852.tif 000010
【手続補正書】
【提出日】平成30年8月9日(2018.8.9)
【手続補正１】
【補正対象書類名】特許請求の範囲
【補正対象項目名】全文
【補正方法】変更
【補正の内容】
【特許請求の範囲】
【請求項１】
公衆ネットワークに接続し、違法行為に関与した被疑者を撮影した被疑者画像情報を公開するシステムであって、
少なくとも店舗ごとに識別情報を記憶する識別情報記憶手段と、
違法行為の内容に関する事件情報を取得する事件情報取得手段と、
違法行為に関与した被疑者を撮影した被疑者画像情報を取得する被疑者画像情報取得手段と、
前記店舗で行われた違法行為について前記事件情報取得手段及び前記被疑者画像情報取得手段で取得した事件情報及び被疑者画像情報を、当該店舗の識別情報と対応づけて事件情報記憶手段に登録する事件情報登録手段と、
前記被疑者画像情報に基づいて前記被疑者の特定が困難な態様の予備的画像情報を生成する予備的画像情報生成手段と、
前記店舗が利用する端末からの公開要求に応じて、前記事件情報記憶手段における当該店舗の識別情報に対応する被疑者画像情報に基づいて前記予備的画像情報生成手段で生成された予備的画像情報、及び、前記事件情報記憶手段における当該店舗の識別情報に対応する事件情報を不特定多数の端末がアクセス可能に公開する予備公開手段と、
前記被疑者からの連絡を受け付ける被疑者連絡受付手段と、
前記予備公開手段による公開から所定時間が経過するまでに前記被疑者連絡受付手段で連絡の受付がない場合は、前記事件情報記憶手段における当該公開に係る被疑者画像情報を不特定多数の端末がアクセス可能に公開する本公開手段と、
前記店舗で違法行為が行われた時点又はその前後の時間帯において当該店舗内で利用された端末の端末情報を取得する第１端末情報取得手段と、
前記店舗で行われた違法行為について前記第１端末情報取得手段で取得した端末情報を、当該店舗の識別情報と対応づけて端末情報記憶手段に登録する端末情報登録手段と、
前記予備公開手段で公開した予備的画像情報にアクセスした端末の端末情報を取得する第２端末情報取得手段と、
前記第２端末情報取得手段で取得した端末情報が、前記端末情報記憶手段における前記予備的画像情報に係る店舗の識別情報に対応する端末情報と一致した場合は、前記第２端末情報取得手段で取得した端末情報に係る端末に対し通知を行う通知手段とを備えることを特徴とする被疑者画像情報公開システム。
【請求項２】
請求項１において、
前記予備公開手段による公開から経過した時間に応じて、前記予備公開手段で公開した予備的画像情報を、前記被疑者の特定がより容易な態様の予備的画像情報に更新する予備的画像情報更新手段を備えることを特徴とする被疑者画像情報公開システム。
【請求項３】
店舗で違法行為が行われた時点又はその前後の時間帯において当該店舗内で利用された端末の端末情報を取得する第１端末情報取得手段と、
違法行為に関与した被疑者に関する情報を公開する公開手段と、
前記公開手段で公開した情報にアクセスした端末の端末情報を取得する第２端末情報取得手段と、
前記第２端末情報取得手段で取得した端末情報が、前記第１端末情報取得手段で取得した端末情報と一致した場合は、前記第２端末情報取得手段で取得した端末情報に係る端末に対し通知を行う通知手段とを備えることを特徴とする被疑者情報公開システム。